(57)【要約】    【課題】この発明は、小型化及び低背化を促進しても電気的な接続安定性が損なわれることのない電気コネクタを提供すること目的とする。    【解決手段】ケーブル挿入口から挿入されたケーブル７０の各接続端子７１へ対応する各コンタクト３０の接点３１を押し付けるスライダー４０に、各コンタクト３０が隣接するコンタクト３０間の方向へ移動することを阻止するガイド壁６０を形成するようにした。  【選択図】  図２
2006244770.tif 000002
【特許請求の範囲】
【請求項１】
ケーブル挿入口が形成され、内部に複数本のコンタクトが並設されたハウジングと、前記ケーブル挿入口から挿入されたケーブルの各接続端子に対応する前記各コンタクトの各接点を押し付けるスライダーとを有する電気コネクタにおいて、
前記スライダーに、前記各コンタクトが隣接するコンタクト間の方向へ移動することを阻止するガイド壁を形成するようにしたことを特徴とする電気コネクタ。
【請求項２】
前記ガイド壁は、前記各コンタクトを収容すべく前記各コンタクト毎に前記スライダーに形成された溝の側壁により形成されていることを特徴とする請求項１に記載の電気コネクタ。
【発明の詳細な説明】
【技術分野】
【０００１】
この発明は、フレキシブル印刷配線基板あるいはフレキシブルフラットケーブル等のケーブルに接続する電気コネクタに関し、特にその接続安定性を確保するようにした電気コネクタに関する。
【背景技術】
【０００２】
一般に、フレキシブル印刷配線基板（以下単にＦＰＣという）あるいはフレキシブルフラットケーブル（以下単にＦＦＣという）等のケーブルにおいて、その一端に並設された複数の接続端子を、対応する複数の各コンタクトに一括して接続する装置として各種の電気コネクタが提供されている。
【０００３】
図３は、この従来の電気コネクタ１を示す要部拡大断面図である。
【０００４】
この電気コネクタ１は、断面略矩形状のハウジング２と、このハウジング２内であって、図面の垂直方向に沿い所定のピッチで互いに隣接して配設された側面略Ｕ字形の複数本のコンタクト３とから構成されている。
【０００５】
この一方、この電気コネクタ１では、後述するＦＰＣ等のケーブルの端部がこの電気コネクタ１のケーブル挿入口１ａ内に簡単に挿入できるよう、当該挿入口１ａから上下方向へ移動自在なスライダー４が配設されている。
【０００６】
そして、ケーブルを挿入する際は、図３に示すようにスライダー４をハウジング２内から上方へ移動させ、これにより各コンタクト３の接点３ａをケーブル挿入口１ａから下方へ向けて形成されたケーブル進入通路から退避させ、これにより、スライダー４のケーブル挿入口４ａ及びケーブル挿入口１ａを介してＦＰＣ、ＦＦＣ等のケーブルが、各コンタクト３の接点３ａを避けて簡単にその内部に挿入することができるようにしている。なお、このような構造の電気コネクタを一般的にＺＩＦ（ＺＥＲＯ  ＩＮＳＥＲＴＩＯＮ  ＦＯＲＣＥ）構造のコネクタと称している。
【０００７】
なお、図示せぬＦＰＣ、ＦＦＣ等のケーブルがケーブル挿入口４ａ及びケーブル挿入口１ａ内から下方へ向けて装着された後は、矢印Ａで示すようにスライダー４を下方へ押圧し、これによりスライダー４の傾斜面４ａにより複数本の各コンタクト３の接点３ａを一時に矢印Ｂ方向へ押圧し、当該複数本のコンタクト３の各接点３ａを挿入された図示せぬＦＰＣ、ＦＦＣ等のケーブルの端部に形成された対応する各端子に圧接させ、これにより互いの電気的接続を図っている。なお、図３で符号３ｂは図示せぬ基板に形成された対応する印刷配線パーンと接続される基板接続端子である。
【発明の開示】
【発明が解決しようとする課題】
【０００８】
ところで、上述した電気コネクタ１では、小型化および薄型化を促進すると、互いに隣接するコンタクト３間の配設ピッチが狭くなり（いわゆる狭ピッチ化）、しかもコンタクト３の板厚が薄くなる傾向となる。
【０００９】
このように狭ピッチ化及び薄板化が促進されたコンタクト３をスライダー４により矢印Ｂ方向へ一時に押圧すると、当該複数の各コンタクト３は、互いに隣接する方向（いわゆる配置ピッチ方向）への振れが大きくなり、このためＦＰＣ、ＦＦＣ等のケーブルの端部に形成された各接続端子にコンタクト３の対応する各接点３ａを正確に圧接させることができず、接触が不安定となり電気的な接続安定性が損なわれる虞がある。
【００１０】
この発明は、上述した事情に鑑み、小型化及び低背化を促進しても電気的な接続安定性が損なわれることのない電気コネクタを提供すること目的とする。
【課題を解決するための手段】
【００１１】
上述した課題を解決するため、この発明では、ケーブル挿入口が形成され、内部に複数本のコンタクトが隣接して並設されたハウジングと、前記ケーブル挿入口から挿入されたケーブルの各接続端子に、対応する前記各コンタクトの各接点を押し付けるスライダーとを有する電気コネクタにおいて、
前記スライダーに、前記隣接するコンタクト間の方向へ前記各コンタクトが移動することを阻止するガイド壁を形成するようにしている。
【発明の効果】
【００１２】
上述した電気コネクタによると、スライダーに互いに隣接するコンタクト間の方向へ各コンタクトが移動することを阻止するガイド壁を形成するようにしたから、小型化および薄型化促進のため隣接する各コンタクト間の狭ピッチ化及び板厚の薄型化を図っても、各コンタクトの各接続端子はスライダーのガイド壁によって隣接するコンタクト間の方向へ振れることはなく、このため各コンタクトの各接点は対応するケーブルの各接続端子に確実に当接し、これにより安定した電気的接続性を維持するより小型の電気コネクタを提供することができる。
【発明を実施するための最良の形態】
【００１３】
以下、この発明に係わる電気コネクタの一実施例を詳述する。
【００１４】
図１はこの発明に係わる電気コネクタ２０の要部断面斜視図である。
【００１５】
この電気コネクタ２０も従来と同様に断面略矩形状のハウジング２１と、このハウジング２１内に所定のピッチで互いに隣接して配設された複数本のコンタクト３０とから構成されている。
【００１６】
なお、この実施例のコンタクト３０は側面略コの字形の支承部３０ａと、その中間部分から分岐した略Ｊ字形状のコンタクト部３０ｂとから構成され、このコンタクト部３０ｂの中間に接点３１が形成されている。
【００１７】
一方、この電気コネクタ２０でも従来と同様に、後述するＦＰＣ等のケーブルの端部がこの電気コネクタ２０のケーブル挿入口２０ａ内に簡単に挿入できるよう、矢印Ｃの如く上下方向へ向け移動自在なスライダー４０が配設されている。
【００１８】
そして、図１に示すように、ケーブルを挿入する際は、スライダー４０を上方に引き上げてハウジング２１内から脱出させ、これにより各コンタクト３０の接点３１を、ケーブル挿入口２０ａに連通するケーブル進入通路から退避させるようにしている。
【００１９】
このように、スライダー４０を上方に引き上げ、これにより各コンタクト３０の接点３１をケーブル進入通路から退避させ、その後、後述する図示せぬ複数個の接続端子が表面に形成されたＦＰＣ、ＦＦＣ等のケーブルをスライダー４０のケーブル挿入口４０ａ及びケーブル挿入口２０ａを介しケーブル進入通路内に進入させると、当該ケーブルは各コンタクト３０の接点３１を避けて簡単にその内部に進入することができることとなる。
【００２０】
従って、この実施例の電気コネクタ２０もいわゆるＺＩＦ（ＺＥＲＯ  ＩＮＳＥＲＴＩＯＮ  ＦＯＲＣＥ）構造の電気コネクタである。
【００２１】
一方、上述したスライダー４０には、複数本の各コンタクト３０毎に各コンタクト部３０ｂを収容する溝５０が形成されている。
【００２２】
この溝５０は、その底面に相当する部分がコンタクト部３０ｂの先端３０ｃを矢印Ｄ方向へ向け押圧する傾斜面５０ａとして作用し、また各溝５０の両側壁の部分(格子状に記載した部分)が、各コンタクト部３０ｂが互いに隣接する方向（いわゆる配置ピッチ方向）へ移動することを阻止するガイド壁６０として作用する。
【００２３】
次に、上述した電気コネクタ２０の作用を説明し、併せて構成をより詳細に説明する。
【００２４】
上述した本願発明に係る電気コネクタ２０によると、図２で示すように、複数個の接続端子が表面に形成されたＦＰＣ、ＦＦＣ等のケーブル７０をスライダー４０のケーブル挿入口４０ａ及びケーブル挿入口２０ａ介してケーブル進入通路内に進入させ、その後、矢印Ｅで示すようにスライダー４０を下方へ押圧すると、各コンタクト部３０ｂは、矢印Ｄで示すようにスライダー４０に形成された溝５０の傾斜面５０ａによりケーブル７０側へ移動する。
【００２５】
その際、小型化および薄型化促進のため隣接する各コンタクト３０間の狭ピッチ化及び当該コンタクト３０の板厚の薄型化が図られた場合であっても、各コンタクト部３０ｂの各接点３１は、スライダー４０のガイド壁６０によって隣接する各コンタクト３０間の方向、即ち配置ピッチ方向方向へ振れることはなく、このため各コンタクト部３０ｂの各接点３１は対応するケーブル７０の各接続端子７１に確実に当接することとなり、これによりケーブル７０の各接続端子７１と対応する各コンタクト部３０ｂの接点３１との間の安定した電気的接続性を維持することとなる。
【００２６】
なお、図１で符号８０は、図示せぬ基板に形成された対応する印刷配線パーンと接続される基板接続端子である。
【００２７】
なお、上記実施例では、スライダー４０を印刷配線基板に対して垂直方向から移動させるタイプの電気コネクタ２０について詳述したが、この発明は上記実施例に限定されることなく、印刷配線基板に対してスライダーを平行に移動させるタイプの電気コネクタに適用しても良く、スライダーの移動方向は限定されないことは勿論である。  
【産業上の利用可能性】
【００２８】
以上説明したように、この発明の電気コネクタは、小型化及び低背化を促進しても電気的な接続安定性が損なわれることのない電気コネクタに適している。
【図面の簡単な説明】
【００２９】
【図１】図１はこの発明に係わる電気コネクタの一部断面斜視図。
【図２】図２ははこの発明に係わる電気コネクタの作用を示す一部断面斜視図。
【図３】図３は従来の電気コネクタを説明する概念断面図。
【符号の説明】
【００３０】
２０…電気コネクタ
２０ａ…ケーブル挿入口
２１…ハウジング
３０…コンタクト
３１…接点
４０…スライダー
５０…溝
６０…ガイド壁
７０…ケーブル
７１…接続端子
【図１】
2006244770.tif 000003
【図２】
2006244770.tif 000004
【図３】
2006244770.tif 000005